(57)【要約】【課題】耕耘作業中、ロータリ耕耘爪軸を駆動する軸とチェーンケース側の軸受けボス部の各々にカバーを設けたラビリンス構造に藁草が巻き付くことのないロータリ耕耘機における藁草巻付防止構造を提供する。【解決手段】ロータリ耕耘爪軸５に耕耘爪３を取付けて耕耘部を構成し、前記耕耘部の上方を覆うロータリカバーを有し、前記ロータリカバーは、前記耕耘部の側方を覆う側板５６を有するロータリ耕耘機であって、前記ロータリ耕耘爪軸５の端部に位置する駆動フランジ２０の外径付近に固定され、前記ロータリカバーの前記側板５６付近まで延び、耕耘爪軸５の回転とともに回転する藁草巻付防止金具５１を備えている。【選択図】図２
2005269980.tif 000002
【特許請求の範囲】
【請求項１】
ロータリ耕耘爪軸に耕耘爪を取付けて耕耘部を構成し、前記耕耘部の上方を覆うロータリカバーを有し、
前記ロータリカバーは、前記耕耘部の側方を覆う側板を有するロータリ耕耘機であって、
前記ロータリ耕耘爪軸の端部に位置する駆動フランジの外径付近に固定され、
前記ロータリカバーの前記側板付近まで延び、
耕耘爪軸の回転とともに回転する藁草巻付防止金具を備えたことを特徴とするロータリ耕耘機における藁草巻付防止構造。
【請求項２】
前記藁草巻付防止金具は、前記駆動フランジと前記駆動爪軸側の軸側フランジとを締結する締結具で取付けられていることを特徴とする請求項１記載のロータリ耕耘機における藁草巻付防止構造。
【請求項３】
前記藁草巻付防止金具は、前記耕耘爪を前記耕耘爪軸に固定する締結具の頭部に固設されていることを特徴とする請求項１記載のロータリ耕耘機における藁草巻付防止構造。
【請求項４】
前記藁草巻付防止金具は、前記駆動フランジの外周を囲む円環形状をしていることを特徴とする請求項１記載のロータリ耕耘機における藁草巻付防止構造。
【請求項５】
前記円環形状をしている藁草巻付防止金具の外周面付近であって、  ロータリカバーの側壁の内側に、前記藁草巻付防止金具の外周面に付着した付着物を弾き飛ばすためのスクレーパを設けたことを特徴とする請求項４記載のロータリ耕耘機における藁草巻付防止構造。
【発明の詳細な説明】
【技術分野】
【０００１】
本発明は、トラクタに装着するロータリ耕耘機における藁草巻付防止構造に関する。
【背景技術】
【０００２】
従来からトラクターや耕耘機の後部にロータリ耕耘機を付設して耕耘作業を行っている。このロータリ耕耘機は、複数個の耕耘爪を取り付けたロータリ耕耘爪軸を回転させることにより耕耘を行うものである。これらの複数個の耕耘爪は、耕耘爪軸上に略一定間隔をおいて放射状にホルダーを固設されている（特許文献１参照）。
【０００３】
このロータリ耕耘爪軸は、チェーンケースの下部とサイドフレームの下部との間に、各々軸受を介して回動自在に軸架されている。従来、このロータリ耕耘爪軸を駆動する軸とチェーンケース側の軸受けボス部の各々にカバーを設け、ラビリンス構造を形成していた。
【特許文献１】特開２００４−４１０２７号
【発明の開示】
【発明が解決しようとする課題】
【０００４】
しかし、上記構成では、耕耘作業中、カバーの外周部に藁草が巻付き、その後硬く締まってしまうので、藁草の除去が困難であるという問題点があった。さらに、この巻き付いた藁草が、ラビリンス内に侵入しオイルシールを破損するという問題点があった。
【０００５】
そこで、本発明は、上記問題点を解決するためになされたもので、耕耘作業中、ロータリ耕耘爪軸を駆動する軸とチェーンケース側の軸受けボス部の各々にカバーを設けたラビリンス構造に藁草が巻き付くことのないロータリ耕耘機における藁草巻付防止構造を提供することを目的とする。
【課題を解決するための手段】
【０００６】
上記目的を達成するため、本発明の請求項１に係る発明は、ロータリ耕耘爪軸に耕耘爪を取付けて耕耘部を構成し、前記耕耘部の上方を覆うロータリカバーを有し、前記ロータリカバーは、前記耕耘部の側方を覆う側板を有するロータリ耕耘機であって、前記ロータリ耕耘爪軸の端部に位置する駆動フランジの外径付近に固定され、前記ロータリカバーの前記側板付近まで延び、耕耘爪軸の回転とともに回転する藁草巻付防止金具を備えたことを特徴とするロータリ耕耘機における藁草巻付防止構造を提供する。
【０００７】
上記構成によると、耕耘爪軸の回転とともに藁草巻付防止金具も回転するため、藁草の巻付を防止することができる。
【０００８】
請求項２に係る発明は、前記藁草巻付防止金具は、前記駆動フランジと前記駆動爪軸側の軸側フランジとを締結する締結具で取付けられていることを特徴とする請求項１記載のロータリ耕耘機における藁草巻付防止構造を提供する。
【０００９】
上記構成によると、耕耘爪軸の回転とともに藁草巻付防止金具も回転する。
【００１０】
従って、藁草の巻付を防止することができる。
【００１１】
さらに、藁草以外の草の巻付も防止することができる。
【００１２】
請求項３に係る発明は、前記藁草巻付防止金具は、前記耕耘爪を前記耕耘爪軸に固定する締結具の頭部に固設されていることを特徴とする請求項１記載のロータリ耕耘機における藁草巻付防止構造を提供する。
【００１３】
上記構成によると、耕耘爪軸の回転とともに藁草巻付防止金具も回転する。
【００１４】
従って、藁草の巻付を防止することができる。
【００１５】
さらに、藁草以外の草の巻付も防止することができる。
【００１６】
請求項４に係る発明は、前記藁草巻付防止金具は、前記駆動フランジの外周を囲む円環形状をしていることを特徴とする請求項１記載のロータリ耕耘機における藁草巻付防止構造を提供する。
【００１７】
上記構成によると、耕耘爪軸の回転とともに藁草巻付防止金具も回転する。
【００１８】
従って、藁草の巻付を防止することができる。
【００１９】
請求項５に係る発明は、前記円環形状をしている藁草巻付防止金具の外周面付近であって、ロータリカバーの側壁の内側に、前記藁草巻付防止金具の外周面に付着した付着物を弾き飛ばすためのスクレーパを設けたことを特徴とする請求項４記載のロータリ耕耘機における藁草巻付防止構造を提供する。
【００２０】
上記構成によると、耕耘爪軸の回転とともに藁草巻付防止金具も回転する。
【００２１】
従って、藁草の巻付を防止することができる。
【発明の効果】
【００２２】
ロータリ耕耘機の耕耘作業中、ロータリ耕耘爪軸を駆動する軸とチェーンケース側の軸受けボス部の各々にカバーを設けたラビリンス構造に藁草が巻き付くことをなくすことができる。
【発明を実施するための最良の形態】
【００２３】
以下、本発明の実施の形態を図面に基づいて説明する。
【実施例１】
【００２４】
まず、図１を参照しつつ、本発明の第１実施例に係る藁草巻付防止構造１００を有するロータリ耕耘機１９の全体構造から説明する。図１は、本発明の第１実施例に係る藁草巻付防止構造を有するロータリ耕耘機の一部断面図を示す。
【００２５】
トラクタの後部に装着されるロータリ耕耘機１９は、トラクタで牽引されながら、そのトラクタのＰＴＯ軸（動力取出し軸）からの動力でロータリ耕耘爪軸５が回転駆動されるようになっている。図１において、６は、ＰＴＯ軸（動力取出し軸）からの動力が伝達される入力軸であり、ベベルギアボックス１８の中間位置に設けられている。
【００２６】
ベベルギアボックス１８の一端側には、入力スプロケット１３、チェーン１４、出力スプロケット１５等からなるチェーン伝導機構が内装されたチェーンケース１１がボルト９締結により取付けられ, ベベルギアボックス１８の他端側には側板１２がボルト１０締結により取付けられている。
【００２７】
入力スプロケット１３は、ベベルギア７のギア出力を伝導する伝導軸８に固定され、出力スプロケット１５は、出力スプロケット軸１６に固定されている。出力スプロケット軸１６は、軸受１７により回動自在に支持され、その内側には適宜部材を介して駆動側フランジ２０が固設されている。
【００２８】
一方、側板１２には、ボルト２５締結により軸受２４が固設され、この軸受２４に回動自在に支持された軸部材２７の端に支持側フランジ２３が設けられている。この駆動側フランジ２０及び支持側フランジ２３に対応して、ロータリ駆動爪軸５の両端部には軸側フランジ２１，２２が設けられている。駆動側フランジ２０及び支持側フランジ２３に軸側フランジ２１，２２が各々ボルト締結されて、駆動側フランジ２０及び支持側フランジ２３の間にロータリ駆動爪軸５が取り付けられている。ロータリ耕耘爪軸５には、所定のピッチで複数のホルダー２が放射状に突設され、各ホルダー２に取付ボルト４により耕耘爪３が固定されている。
【００２９】
尚、図２に示される如く、出力スプロケット軸１６は、軸受１７とともにオイルシール５５を介して駆動側フランジ２０に連なっているが、この軸受１７やオイルシール５５に藁草が捲き込まないように、ケース側カバー５３、フランジ側カバー５４及びケース端部カバー５７が設けられている。
【００３０】
次に、本発明の第１実施例に係るロータリ耕耘機における藁草巻付防止構造の詳細を図２及び図３を参照しつつ説明する。図２は，本発明の第１実施例に係るロータリ耕耘機における藁草巻付防止構造の一部断面図、図３は、本発明の第１実施例に係るロータリ耕耘機における藁草巻付防止構造の図２におけるＡ矢視図を示す。
【００３１】
本実施例における藁草巻付防止構造１００の藁草巻付防止金具５１は、駆動側フランジ２０及び軸側フランジ２１を締結するための締結具である締結ボルト５２により取付固定されている。この藁草巻付防止金具５１は、図２に示されるように、断面略直角形状をしており、ロータリカバーの側壁５６の位置の直前まで延びている。従って、藁草巻付防止金具５１は、駆動フランジ２１の回転とともに、チェーンケース１１やロータリカバーの側壁５６にぶつかることなく回転する。
【００３２】
図３に示されるように、藁草巻付防止金具５１は、扇形上の広がったその両端部を各々締結ボルト５２、５２により締結されている。
【００３３】
次に、上記構成を有するロータリ耕耘機における藁草巻付防止構造１００の作用を図２及び図３を参照しつつ説明する。
【００３４】
耕耘作業が始まると、藁草巻付防止金具５１は、駆動フランジ２０に締結されているため、駆動爪軸５とともに回転する。従って、従来、ケース側カバー５３、フランジ側カバー５４及びケース端部カバー５７に藁草が巻き付いていたが、この藁草巻付防止金具５１の回転により、これらケース側カバー５３、フランジ側カバー５４及びケース端部カバー５７に藁草が巻き付くのを防止することができる。即ち、この藁草巻付防止金具５１は、ケース側カバー５３、フランジ側カバー５４及びケース端部カバー５７よりも大きな径を持つ回転体として作用するので、その径以下の藁草の巻付きを防止することができる。また、藁草を弾き飛ばすことにもなり、オイルシール５５のケース側カバー５３及びフランジ側カバー５４への巻付きを防止することができる。
【実施例２】
【００３５】
次に、本発明の第２実施例に係るロータリ耕耘機における藁草巻付防止構造の詳細を図４及び図５を参照しつつ説明する。図４は，本発明の第２実施例に係るロータリ耕耘機における藁草巻付防止構造の一部断面図、図５は、本発明の第２実施例に係るロータリ耕耘機における藁草巻付防止構造の図４におけるＢ矢視図を示す。
【００３６】
本実施例における藁草巻付防止構造１００の藁草巻付防止金具５１は、耕耘爪３をホルダー２に取り付ける締結具である耕耘爪取付ボルト４により取付けられている。この藁草巻付防止金具５１は、図４に示されるように、断面略長方形形状をしており、ロータリカバーの側壁５６の位置の直前まで延びている。従って、藁草巻付防止金具５１は、駆動フランジ２１の回転とともに、チェーンケース１１やロータリカバーの側壁５６にぶつかることなく回転する。
【００３７】
図５に示されるように、藁草巻付防止金具５１は、その中央部において締結具である耕耘爪取付ボルト４により締結されている。
【００３８】
次に、上記構成を有するロータリ耕耘機における藁草巻付防止構造１００の作用を図３及び図４を参照しつつ説明する。
【００３９】
耕耘作業が始まり、藁草巻付防止金具５１は、耕耘爪取付ホルダー２に締結されているため、駆動爪軸５とともに回転する。従って、従来、ケース側カバー５３、フランジ側カバー５４及びケース端部カバー５７に藁草が巻き付いていたが、この藁草巻付防止金具５１の回転により、これらケース側カバー５３、フランジ側カバー５４及びケース端部カバー５７に藁草が巻き付くのを防止することができる。即ち、この藁草巻付防止金具５１は、ケース側カバー５３、フランジ側カバー５４及びケース端部カバー５７よりも大きな径を持つ回転体として作用するので、その径以下の藁草の巻付きを防止することができる。また、藁草を弾き飛ばすことにもなり、オイルシール５５のケース側カバー５３及びフランジ側カバー５４への巻付きを防止することができる。また、オイルシール５５のケース側カバー５３及びフランジ側カバー５４に付着する泥土を掻き落とすこともできるため、これらのカバー内への泥土の侵入も防止することができる。
【実施例３】
【００４０】
次に、本発明の第３実施例に係るロータリ耕耘機における藁草巻付防止構造の詳細を図６及び図７を参照しつつ説明する。図６は，本発明の第３実施例に係るロータリ耕耘機における藁草巻付防止構造の一部断面図、図７は、本発明の第３実施例に係るロータリ耕耘機における藁草巻付防止構造の図６におけるＣ矢視図を示す。
【００４１】
本実施例における藁草巻付防止構造１００の藁草巻付防止金具５１は、耕耘爪３をホルダー２に取り付ける締結具である耕耘爪取付ボルト４の頭部に固設される。この藁草巻付防止金具５１は、図６に示されるように、断面略直角形状をしており、ロータリカバーの側壁５６の位置の直前まで延びている。従って、藁草巻付防止金具５１は、駆動フランジ２１の回転とともに、チェーンケース１１やロータリカバーの側壁５６にぶつかることなく回転する。
【００４２】
図７に示されるように、藁草巻付防止金具５１は、その中央下部において締結具である耕耘爪取付ボルト４の頭部に固設されている。
【００４３】
次に、上記構成を有するロータリ耕耘機における藁草巻付防止構造１００の作用を図６及び図７を参照しつつ説明する。
【００４４】
耕耘作業が始まると、藁草巻付防止金具５１は、耕耘爪取付ホルダー２の耕耘爪取付ボルト４の頭部に固設されているため、駆動爪軸５とともに回転する。従って、従来、ケース側カバー５３、フランジ側カバー５４及びケース端部カバー５７に藁草が巻き付いていたが、この藁草巻付防止金具５１の回転により、これらケース側カバー５３、フランジ側カバー５４及びケース端部カバー５７に藁草が巻き付くのを防止することができる。即ち、この藁草巻付防止金具５１は、ケース側カバー５３、フランジ側カバー５４及びケース端部カバー５７よりも大きな径を持つ回転体として作用するので、その径以下の藁草の巻付きを防止することができる。また、藁草を弾き飛ばすことにもなり、オイルシール５５のケース側カバー５３及びフランジ側カバー５４への巻付きを防止することができる。
【実施例４】
【００４５】
次に、本発明の第４実施例に係るロータリ耕耘機における藁草巻付防止構造の詳細を図８及び図９を参照しつつ説明する。図８は，本発明の第４実施例に係るロータリ耕耘機における藁草巻付防止構造の一部断面図、図９は、本発明の第４実施例に係るロータリ耕耘機における藁草巻付防止構造の図８におけるＤ矢視図を示す。
【００４６】
本実施例における藁草巻付防止構造１００の藁草巻付防止金具５１は、駆動フランジ２０及び軸側フランジ２１の外周部に固設される。この藁草巻付防止金具５１は、図８及び図９に示されるように、丸い棒形状をしており、ロータリカバーの側壁５６の位置の直前まで延びている。従って、藁草巻付防止金具５１は、駆動フランジ２１の回転とともに、チェーンケース１１やロータリカバーの側壁５６にぶつかることなく回転する。
【００４７】
図９に示されるように、藁草巻付防止金具５１は、駆動フランジ２０及び軸側フランジ２１の外周部に位置する。
【００４８】
次に、上記構成を有するロータリ耕耘機における藁草巻付防止構造１００の作用を図８及び図９を参照しつつ説明する。
【００４９】
耕耘作業が始まると、藁草巻付防止金具５１は、駆動フランジ２０及び軸側フランジ２１の外周部に固設されているため、駆動爪軸５とともに回転する。従って、従来、ケース側カバー５３、フランジ側カバー５４及びケース端部カバー５７に藁草が巻き付いていたが、この藁草巻付防止金具５１の回転により、これらケース側カバー５３、フランジ側カバー５４及びケース端部カバー５７に藁草が巻き付くのを防止することができる。即ち、この藁草巻付防止金具５１は、ケース側カバー５３、フランジ側カバー５４及びケース端部カバー５７よりも大きな径を持つ回転体として作用するので、その径以下の藁草の巻付きを防止することができる。また、藁草を弾き飛ばすことにもなり、オイルシール５５のケース側カバー５３及びフランジ側カバー５４への巻付きを防止することができる。
【実施例５】
【００５０】
次に、本発明の第５実施例に係るロータリ耕耘機における藁草巻付防止構造の詳細を図１０及び図１１を参照しつつ説明する。図１０は，本発明の第５実施例に係るロータリ耕耘機における藁草巻付防止構造の一部断面図、図１１は、本発明の第５実施例に係るロータリ耕耘機における藁草巻付防止構造の図１０におけるＥ矢視図を示す。
【００５１】
本実施例における藁草巻付防止構造１００の藁草巻付防止金具５１は、駆動フランジ２０及び軸側フランジ２１並びにケース側カバー５３及びフランジ側カバー５４を囲むように円環形状をしている。この藁草巻付防止金具５１は、図１０及び図１１に示されるように、丸い円環形状をしており、ロータリカバーの側壁５６の位置の直前まで延びている。従って、藁草巻付防止金具５１は、駆動フランジ２１の回転とともに、チェーンケース１１やロータリカバーの側壁５６にぶつかることなく回転する。
【００５２】
図１０に示されるように、藁草を弾き飛ばすためのスクレーパ６０がロータリーカバーの側壁５６に取り付けられている。このスクレーパ６０は、図１１に示されるように、台形形状をしており、内部においてボルト６１によって取り付けられている。
【００５３】
次に、上記構成を有するロータリ耕耘機における藁草巻付防止構造１００の作用を図１０及び図１１を参照しつつ説明する。
【００５４】
耕耘作業が始まると、藁草巻付防止金具５１は、駆動フランジ２０及び軸側フランジ２１の外周部に固設されているため、駆動爪軸５とともに回転する。従って、従来、ケース側カバー５３、フランジ側カバー５４及びケース端部カバー５７に藁草が巻き付いていたが、この藁草巻付防止金具５１の回転により、これらケース側カバー５３、フランジ側カバー５４及びケース端部カバー５７に藁草が巻き付くのを防止することができる。即ち、この藁草巻付防止金具５１は、ケース側カバー５３、フランジ側カバー５４及びケース端部カバー５７を囲んでいるので、藁草の巻付きを防止することができる。また、藁草を弾き飛ばすことにもなり、オイルシール５５のケース側カバー５３及びフランジ側カバー５４への巻付きを防止することができる。
【００５５】
さらに、この円環形状の藁草巻付防止金具５１の外周部に付着した藁草や泥土等の付着物をスクレーパ６０によって掻き落とすことができる。
【図面の簡単な説明】
【００５６】
【図１】本発明の第１実施例に係る藁草巻付防止構造を有するロータリ耕耘機の一部断面図。
【図２】本発明の第１実施例に係るロータリ耕耘機における藁草巻付防止構造の一部断面図。
【図３】本発明の第１実施例に係るロータリ耕耘機における藁草巻付防止構造  の図２におけるＡ矢視図。
【図４】本発明の第２実施例に係るロータリ耕耘機における藁草巻付防止構造の一部断面図。
【図５】本発明の第２実施例に係るロータリ耕耘機における藁草巻付防止構造  の図４におけるＢ矢視図。
【図６】本発明の第３実施例に係るロータリ耕耘機における藁草巻付防止構造の一部断面図。
【図７】本発明の第３実施例に係るロータリ耕耘機における藁草巻付防止構造  の図６におけるＣ矢視図。
【図８】本発明の第４実施例に係るロータリ耕耘機における藁草巻付防止構造の一部断面図。
【図９】本発明の第４実施例に係るロータリ耕耘機における藁草巻付防止構造  の図８におけるＤ矢視図。
【図１０】本発明の第５実施例に係るロータリ耕耘機における藁草巻付防止構造の一部断面図。
【図１１】本発明の第５実施例に係るロータリ耕耘機における藁草巻付防止構造の図１０におけるＥ矢視図。
【符号の説明】
【００５７】
１  耕耘爪取付構造
２  ホルダー
２００  挿入孔
２０１  底部
３  耕耘爪
３００  基部
４  耕耘爪取付ボルト
５  耕耘爪軸
Ａ−Ａ  中心軸
５１  藁草巻付防止金具
５２  締結ボルト
５３  ケース側カバー
５４  フランジ側カバー
５５  オイルシール
５６  ロータリーカバーの側壁
【図１】
2005269980.tif 000003
【図２】
2005269980.tif 000004
【図３】
2005269980.tif 000005
【図４】
2005269980.tif 000006
【図５】
2005269980.tif 000007
【図６】
2005269980.tif 000008
【図７】
2005269980.tif 000009
【図８】
2005269980.tif 000010
【図９】
2005269980.tif 000011
【図１０】
2005269980.tif 000012
【図１１】
2005269980.tif 000013